(57)【要約】【課題】外筒を回動させながら放水形態を変化させる場合に、外筒が放水形態を変化させる機能位置になると、回転操作力に対して抵抗が生じるようにし、夜間等の暗所においても、必要とする放水形態を正確に得ることができる消火ノズルを提供する。【解決手段】外筒２８の軸方向の位置を選んで噴射口３０の開度を変えることで放水の形態を変化させることができる消火ノズルであって、前記外筒２８がシャット位置にある状態でこの外筒２８の後端部から露出する内筒２３の外周面に、外筒２８を回動させて放水の形態が変化する位置に移動した時点で、この外筒２８の回動に抵抗を与えるＯリング３４ａを設けた。【選択図】図１
2010029347.tif 000002
【特許請求の範囲】
【請求項１】
内部が通水路となり、後端を消火ホースと接続する内筒の外側に外筒を、内筒に対する回転によって軸方向に移動するよう外嵌し、前記内筒の先端に弁体を設け、前記外筒の先端に形成した噴射口をこの外筒の軸方向への移動により前記弁体で開閉し、前記外筒の軸方向の位置を選んで噴射口の開度を変えることで放水の形態を変化させることができるようにした消火ノズルにおいて、
前記外筒がシャット位置にある状態でこの外筒の後端部から露出する内筒の外周面に、外筒を回動させて放水の形態が変化する位置に移動した時点で、外筒の回動に抵抗を与える抵抗付与部材を設けたことを特徴とする消火ノズル。
【請求項２】
上記抵抗付与部材がＯリングによって形成され、このＯリングが内筒の外周面に周設した凹溝に嵌め込んで取付けられ、外筒の後端部がこのＯリングに当接することによって回動に抵抗を与えるようになっていることを特徴とする請求項１に記載の消火ノズル。
【発明の詳細な説明】
【技術分野】
【０００１】
この発明は、消火ホースの先端に取付け、内筒に外嵌した外筒を回転操作することにより、複数の放水形態と放水の停止状態を選択できるようにした消火ノズルに関する。
【背景技術】
【０００２】
図３（ａ）と（ｂ）は、消火ホースの先端に取付けて使用する従来の消火ノズル１を示し、円筒状で内部が通水路２となる内筒３の後端部内周に、消火ホースを接続するための雌ねじ４を設け、この内筒３の先端に前記通水路２の先端からの放水が可能な状態で弁体５が設けられている。
【０００３】
上記内筒３の途中から先端側に外筒６を外嵌し、前記外筒６の先端に内径が先端広がりに拡径する噴射口７とその内周に弁座８を設け、この外筒６の軸方向への移動により前記噴射口７を弁体５で開閉し、前記外筒６の軸方向の位置を選んで噴射口７の開度を変えることで、放水のシャットと放水形態を変化させることができるようになっている。
【０００４】
上記内筒３と外筒６の嵌合面に、雄ねじとこれに螺合する雌ねじからなり、外筒６の回転操作でこの外筒６を内筒３に対して軸方向に移動させる送りねじ機構９を形成すると共に、内筒３と外筒６の嵌合面の止水を行う止水用Ｏリング１０が組み込まれ、前記外筒６を内筒３に対して最先端側に移動させると、図３（ａ）のように、噴射口７が弁体５で閉鎖されて放水のシャットとなり、また、外筒６を回動させて後端側に移動させると、弁体５による噴射口７の開度が変化し、例えば、途中の位置で直射放水（図３（ｂ）の一点鎖線）となり、全開の位置で噴霧放水（図３（ｂ）の実線）となる。
【０００５】
上記のように、消火ノズル１は、放水時に火勢の状態に合わせて放水の形態を変化させる必要が有り、外筒６を単に回しただけでは放水の形態が判別しにくいため、従来は、図
４に示すように、表示手段として、外筒６の後端部外周面と内筒の後端部外周面の一方に、放水の種類を示す文字や矢印（ａ）と、他方に位置決め目印（ｂ）を表示し、外筒６を回動して文字や矢印（ａ）と目印（ｂ）を合わせることにより、所望の放水形態が得られるようにしている。
【０００６】
図４は、上記表示手段において、図４（ａ）はシャット位相を、図４（ｂ）は直射放水、図４（ｃ）は噴霧放水における文字や矢印（ａ）と位置決め目印（ｂ）の位相の関係を示している。
【発明の開示】
【発明が解決しようとする課題】
【０００７】
ところで、上記のような従来の消火ノズルは、外筒６を全閉位置と全開位置の間で回動させながら軸方向に移動させる場合に、その回転操作力は常に一定であるので、外筒６を回動操作していても、放水形態が変化する機能位置を手の感触で知ることができず、必要とする放水形態を正確に得るのに不便である。
【０００８】
特に、上記した文字や矢印（ａ）と目印（ｂ）の組合わせによる放水形態の表示手段では、夜間等の暗所において使用する場合に、表示手段の目視による確認は不可能に近く、このような条件では表示手段の機能を果たすことができないという問題がある。
【０００９】
そこで、この発明の課題は、外筒を回動させながら軸方向に移動させて放水形態を変化させる場合に、外筒が放水形態を変化させる機能位置になると、回転操作力に対して抵抗が生じるようにし、放水形態が変化する機能位置を手の感触で知ることで、夜間等の暗所においても、必要とする放水形態を正確に得ることができる消火ノズルを提供することにある。
【課題を解決するための手段】
【００１０】
上記の課題を解決するため、この発明は、内部が通水路となり、後端を消火ホースと接続する内筒の外側に外筒を、内筒に対する回転によって軸方向に移動するよう外嵌し、前記内筒の先端に弁体を設け、前記外筒の先端に形成した噴射口をこの外筒の軸方向への移動により前記弁体で開閉し、前記外筒の軸方向の位置を選んで噴射口の開度を変えることで放水の形態を変化させることができるようにした消火ノズルにおいて、前記外筒がシャット位置にある状態でこの外筒の後端部から露出する内筒の外周面に、外筒を回動させて放水の形態が変化する位置に移動した時点で、外筒の回動に抵抗を与える抵抗付与部材を設けた構成を採用したものである。
【００１１】
上記抵抗付与部材がＯリングによって形成され、このＯリングが内筒の外周面に周設した凹溝に嵌め込んで取付けられ、外筒の後端部がこのＯリングに当接することによって回動に抵抗を与えるようになっている構造とすることができる。
【００１２】
ここで、上記内筒と外筒の嵌合面間には、外筒の回転操作でこの外筒を内筒に対して軸方向に移動させる送りねじ機構が形成され、かつ、内筒と外筒の嵌合面は止水部材によって止水され、前記外筒を内筒に対して最前端側に移動させると、噴射口が弁体で閉鎖されて放水のシャットとなり、この状態で、内筒の外周面に取付けた抵抗付与部材のＯリングが外部に露出している。
【００１３】
上記シャットの位置にある外筒を回動させ、直射放水の機能位置にまで軸方向に移動させると、この外筒の端部がＯリングに当接するように内筒に対するＯリングの取付け位置が設定され、外筒の端部がＯリングに当接することにより、外筒の回動操作力に抵抗が生じ、これにより手に伝わった感触で直射放水の状態を確認することができる。
【００１４】
また、外筒の端部がＯリングに当接した状態で更に力を加えると、外筒の内径がＯリングを圧縮して外嵌し、以後は、外筒を全開の噴霧放水の機能位置まで軽い力で移動させることができる。
【発明の効果】
【００１５】
この発明によると、内筒の外周面に、外筒を回動させて放水の形態が変化する位置に移動した時点で、外筒の回動に抵抗を与える抵抗付与部材を設けたので、外筒の端部がＯリングに当接すると、外筒の回動操作力に抵抗が生じ、これが手に伝わった感触で放水形態が変化する機能位置を知ることができ、夜間等の暗所においても、必要とする放水形態を正確に得ることができる。
【００１６】
また、抵抗付与部材にＯリングを用いることにより、放水形態が変化する機能位置から次の放水形態の変化位置への外筒の移動が、Ｏリングに対して外筒の内径を外嵌させることで可能となり、放水形態の変化を従来と同様の操作で行えることになる。
【発明を実施するための最良の形態】
【００１７】
以下、この発明の実施の形態を図示例に基づいて説明する。
【００１８】
図１（ａ）乃至（ｃ）は、この発明に係る消火ノズル２１の一例を示し、円筒状で内部が通水路２２となる内筒（ノズル本体）２３の後端部内周に消火ホースを接続するための雌ねじ２４を形成し、前記内筒２３の先端側に、内筒２３の内周に消火水の流れを阻害しないように突設した複数のステー２５で軸体２６を、内筒２３の先端から前方に突出するよう同軸心の配置で突設し、この軸体２６の先端に前記通水路２２の先端からの放水を許容する間隔をおいて円形の弁体２７が設けられている。
【００１９】
上記内筒２３の途中から先端側外周面に回転と軸方向の移動が可能となるよう取付けた外筒（操作筒体）２８は、内筒２３に対して外嵌するストレートな円筒部２８ａの先端に、内径が先端広がりのテーパとなるノズル部２８ｂを連成して形成され、前記内筒２３と外筒２８の円筒部２８ａの嵌合面に、一方に設けた雄ねじとこれに螺合するよう他方に設けた雌ねじからなり、外筒２８の回動操作でこの外筒２８を内筒２３に対して軸方向に移動させる送りねじ機構２９が形成されている。
【００２０】
上記外筒２８において、ノズル部２８ｂの内径が噴射口３０となり、その内径が弁座３１になっていると共に、上記内筒２３と外筒２８の嵌合面間には、送りねじ機構２９よりも後端側の位置に、この嵌合面間の止水を行う止水用Ｏリング３２が組み込まれている。なお、外筒２８の外周には、外筒２８の回転操作が行ないやすいように、合成樹脂やゴムを用いて成形したグリップ部材３３が外嵌状に固定してある。
【００２１】
上記外筒２８は、内筒２３に対して最前進位置にあるとき、前記噴射口３０の弁座３１が弁体２７に当接して閉弁となり、放水を停止したシャット状態になり、この外筒２８を回動させて内筒２３の後端側に移動させると、弁座３１が弁体２７から離反することで噴射口３０が開いて放水開始となり、外筒２８を移動ストローク全長の略途中の位置に移動させると、弁体２７と噴射口３０の位置関係が直射放水形態となる。
【００２２】
この直射放水形態の位置から外筒２８を更に後端側に移動させると、弁体２７と噴射口３０の位置関係が更に開くことで噴霧放水形態となる。
【００２３】
このように、外筒２８を回動させて軸方向の位置を選ぶことにより、シャットと直射、噴霧の放水形態に変化することになり、実際の使用時には火勢の状況に合わせてこれらの放水形態が選択されることになる。
【００２４】
上記内筒２３の外周面において、外筒２８が最前進したシャット位置にある状態で、この外筒２８の後端から露出する位置に、外筒２８を回動させて放水の形態が変化する位置に移動した時点で、外筒２８の回動に抵抗を与える抵抗付与部材３４が設けられている。
【００２５】
この抵抗付与部材３４は、Ｏリング３４ａによって形成され、このＯリング３４ａが内筒２３の外周面に周設した凹溝３５に嵌め込んで取付けられ、外筒２８の後端部がこのＯリング３４ａの最大外径部に当接することによって回動操作力に抵抗を与えるようになっている。
【００２６】
上記抵抗付与部材３４を設ける位置は、外筒２８を直射放水形態の機能位置に移動させたとき、その後端がＯリング３４ａに当接するように設定され、外筒２８の後端部がＯリング３４ａに当接すると、外筒２８の回動操作力に抵抗が生じ、これが手に伝わった感触で放水形態が変化する位置を知ることができる。
【００２７】
また、外筒２８の後端部がＯリング３４ａに当接した状態で更に回動力を加えると、外筒２８の内径がＯリング３４ａを圧縮して外嵌し、以後は、外筒２８を全開の噴霧放水の機能位置まで軽い力で移動させることができることになる。
【００２８】
なお、外筒２８の放水形態の変化位置を目視でも確認できるよう、外筒２８の後端部外周面と内筒２３の後端部外周面の一方に、放水形態の種類を示すシャット、直射、噴霧等の文字や矢印（ａ）と、他方に目印（ｂ）を表示し、外筒２８を回動して文字と目印を合わせることにより、所望の放水形態が得られるようにしてもよい。
【００２９】
この発明の消火ノズル２１は、上記のような構成であり、内筒２３の後端部に設けた雌ねじ２４を消火ホースの先端に螺合することによって取付け、図１（ａ）に示すように、外筒２８を内筒２３に対して先端側の最前進位置にすれば、弁座３１が弁体２７に当接した閉弁状態となり、通水路２２が先端で閉鎖されることにより、消火ホースから内筒２３の通水路２２に流入した消火水はシャットされる。
【００３０】
このとき、図２（ａ）に示すように、外筒２８の後端はＯリング３４ａから離れた前方位置にあり、Ｏリング３４ａは内筒２３の外面に露出している。
【００３１】
このようなシャット状態で、外筒２８を回動させ、送りねじ機構２９の作用で外筒２８を後端側に移動させ、図１（ｂ）と図２（ｂ）のように、外筒２８の後端がＯリング３４ａに当接すると、外筒２８の回動操作力に抵抗が生じ、これを手に伝わった感触で知ることができ、従って、外筒２８の後端がＯリング３４ａに当接した感触を得た時点で外筒２８の回動操作を停止すれば、外筒２８は直射形態の位置で止まることになり、直射放水が得られることになる。
【００３２】
このように、外筒２８の回動操作力に生じた抵抗の感触で、直射放水形態を知ることができるので、夜間等の暗所においても、目視に頼らず、直射放水を正確に得ることができる。
【００３３】
また、直射放水から外筒２８を更に回動させて後端側に移動させると、図１（ｃ）と図２（ｃ）のように、外筒２８の内径がＯリング３４ａを圧縮してこれに外嵌することになり、外筒２８を全開の噴霧放水の機能位置まで軽い力で移動させることができることになる。
【図面の簡単な説明】
【００３４】
【図１】（ａ）はこの発明に係る消火ノズルのシャット状態を示す一部縦断正面図、（ｂ）は直射放水状態を示す一部縦断正面図、（ｃ）は噴霧放水状態を示す一部縦断正面図
【図２】消火ノズルに設けた抵抗付与部材と外筒の位置関係を示し、（ａ）はシャット状態を示す拡大した縦断正面図、（ｂ）は直射放水状態を示す拡大した縦断正面図、（ｃ）は噴霧放水状態を示す拡大した縦断正面図
【図３】（ａ）は従来の消火ノズルを示すシャット状態の一部縦断正面図、（ｂ）は噴霧放水状態の一部縦断正面図
【図４】消火ノズルに設けられている従来の表示手段を示し、（ａ）はシャット状態の正面図、（ｂ）は直射放水状態の正面図、（ｃ）は噴霧放水状態の正面図
【符号の説明】
【００３５】
２１        消火ノズル
２２        通水路
２３        内筒
２４        雌ねじ
２５        ステー
２６        軸体
２７        弁体
２８        外筒
２９        送りねじ機構
３０        噴射口
３１        弁座
３２        止水用Ｏリング
３３        グリップ部材
３４        抵抗付与部材
３４ａ      Ｏリング
３５        凹溝
【図１】
2010029347.tif 000003
【図２】
2010029347.tif 000004
【図３】
2010029347.tif 000005
【図４】
2010029347.tif 000006